(57)【要約】【課題】本発明は、画像及び情報を選択的に表示するための第１表示装置と、システム情報を選択的に表示するための第２表示装置と、各々の前記表示装置により表示されたコンテンツが互いに双方向的に支援する１つ又はそれ以上のモードにおいて前記第１表示装置および第２表示装置を制御するための制御装置とから構成されるデジタル情報／画像形成システムを提供する。【解決手段】前記制御装置は少なくとも第１スイッチおよび第２ナビゲーションスイッチを含むユーザインタフェースを含み、前記第１スイッチがアクティブにされないとき前記第２スイッチは前記第１表示装置において表示された項目を選択するために操作可能であり且つ第２表示装置は前記第１表示装置において選択された項目を支援して情報を表示し、並びに、前記第１スイッチがアクティブにされたとき前記第２スイッチは前記第２表示装置において表示された項目を選択するために操作可能であり且つ前記第１表示装置は前記第２表示装置において選択された項目を支援して情報を表示する。【選択図】　　　図１
2004140791.tif 000002
【特許請求の範囲】
【請求項１】
画像及び情報を選択的に表示するための第１表示装置；
システム情報を選択的に表示するための第２表示装置；並びに
各々の前記表示装置により表示されたコンテンツが互いに双方向的に支援する１つ又はそれ以上のモードにおいて前記第１表示装置および第２表示装置を制御するための制御装置；
から構成されるデジタル情報／画像形成システムであって、
前記制御装置は、少なくとも第１スイッチおよび第２ナビゲーションスイッチを含むユーザインタフェースを含み；
前記第１スイッチがアクティブにされないとき、前記第２スイッチは前記第１表示装置において表示された項目を選択するために操作可能であり、且つ第２表示装置は前記第１表示装置において選択された項目を支援して情報を表示し；並びに
前記第１スイッチがアクティブにされたとき、前記第２スイッチは前記第２表示装置において表示された項目を選択するために操作可能であり、且つ前記第１表示装置は前記第２表示装置において選択された項目を支援して情報を表示する；
ことを特徴とするデジタル情報／画像処理システム。
【請求項２】
背面パネルを有するハウジング；
前記背面パネルにおける第１表示装置；
前記第１表示装置に隣接する前記背面パネルにおける第２表示装置；
前記背面パネルにおける第１スイッチ；
前記背面パネルにおける第２ナビゲーションスイッチ；並びに
前記第１表示装置と第２表示装置及び前記第１スイッチと前記第２スイッチのための制御装置であって、前記第１表示装置が双方向性の表示の役割を担い且つ第２表示装置は支援する表示装置の役割を担うように第１モードで操作し、前記第１表示装置は支援する表示装置の役割を担い且つ第２表示装置は双方向性の表示装置の役割を担うように第２モードで操作可能である、制御装置；
から構成されるデジタルカメラであって、
“双方向性の表示装置の役割”において、前記第１スイッチ及び第２スイッチの１つ又はそれ以上を操作することにより、前記影響を受けた表示装置に表示された情報における変化が結果的に得られ；並びに
“支援する表示装置の役割”において、前記影響を受けた表示装置は双方向性の表示装置に関連した制御装置と表示装置との関係の結果に依存する情報を表示する；
ことを特徴とするデジタルカメラ。
【請求項３】
請求項１に記載のカメラであって、前記第１表示装置は：
画像及び画像関連の情報；
カメラメニュー、関連したサブメニュー及びメニューオプション；並びに
テキストベースのメッセージ及びエラーメッセージ；
からなる情報の種類の少なくとも１つを表示する、ことを特徴とするカメラ。
【請求項４】
請求項１に記載のカメラであって、第２表示装置は：
捕捉が決定的に影響する種々のデジタル機能に関係する現在の状態及び設定；
前記第１表示装置においてレビューされた画像の現在の情報の性質；並びに
前記第１表示装置に表示された情報を支援し、導きそして解釈する助けとなるテキストベースのメッセージ；
からなる情報の種類の少なくとも１つを表示する、ことを特徴とするカメラ。
【発明の詳細な説明】
【０００１】
【発明の属する技術分野】
本発明は、一般に、デジタルカメラ等のデジタル情報／画像形成システムに関し、特に、画像及びシステム情報のための複数の表示装置と複数の表示装置間の双方向性支援を達成するユーザインタフェースとを有するデジタル情報／画像形成システムに関する。
【０００２】
【従来の技術】
デジタルカメラ、携帯電話、携帯情報端末等の携帯型デジタル情報／画像形成システムは、近年、広く使用されてきている。画像及びシステム情報をシステムユーザに提供するために、システムは、通常、ユーザに有用な画像及び／又は情報を表示して提供するために少なくとも１つの表示装置を備えている。ユーザインタフェースのスイッチは又、通常、表示装置において表示される項目の間のナビゲーションを行うために提供される。デジタルカメラにおいては、デジタルカメラにより捕捉された画像を表示するために大きいＬＣＤ（Ｌｉｑｕｉｄ　Ｃｒｙｓｔａｌ　Ｄｉｓｐｌａｙ：液晶）表示装置を、一般に、備えている。表示装置は又、ユーザが選択可能であるカメラの特徴のメニュー及び画像捕捉に関連する機能を表示することが可能である（２００２年３月１４日に公開された、発明者Ｓｕｇｉｍｏｔｏによる米国特許出願公開第２００２／００３０７５４Ａ１号明細書（特許文献１）、２００２年２月２８日に公開された、発明者Ｆｕｊｉｔａ等による米国特許出願公開第２００２／００２４６０４Ａ１号明細書（特許文献２）、２００２年５月１６日に公開された、発明者Ｓｕｚｕｋｉ等による米国特許出願公開第２００２／００５７３５１Ａ１号明細書（特許文献３）、及び２００２年１１月６日に発行された、発明者Ａｎｄｅｒｓｏｎによる米国特許第６，３１３，８７７Ｂ１号明細書（特許文献４）を参照されたい）。画像のために用いられる大きいＬＣＤ表示装置はかなり多くのバッテリパワーを消費するため、デジタルカメラはパワー消費の少ないより小さいＬＣＤ表示装置を備えることが可能である。そのような表示装置は、一般に、多様なカメラの状態のデータをカメラのユーザに対して表示する。表示されたデータは空間的に固定され、ＬＣＤ表示装置は、主なＬＣＤ表示装置のコンテンツのテキスト支援等においてプログラム化された情報を提供することはできない。（２００１年４月２３日に公開された、発明者Ｆｅｌｌｅｇａｒａ等による米国特許出願公開第２００１／００１５７６０Ａ１号明細書（特許文献５）を参照されたい。）２００２年９月１２日に発行された、発明者Ａｎｄｅｒｓｏｎによる米国特許第６，１１８，４８０号明細書（特許文献６）は、大きい画像ＬＣＤ表示装置と小さいステータスＬＣＤとを備えるデジタルカメラについて開示しており、興味深い。どちらかのＬＣＤに表示される項目の間でナビゲーションを行うために単一の四分割スイッチを用いることができる。しかしながら、ステータスＬＣＤは空間的に固定されたアイコンを有し、画像ＬＣＤのコンテンツを支援する他の情報を表示するためにプログラムされてはいない。
【０００３】
【特許文献１】
米国特許出願公開第２００２／００３０７５４Ａ１号明細書
【特許文献２】
米国特許出願公開第２００２／００２４６０４Ａ１号明細書
【特許文献３】
米国特許出願公開第２００２／００５７３５１Ａ１号明細書
【特許文献４】
米国特許第６，３１３，８７７Ｂ１号明細書
【特許文献５】
米国特許出願公開第２００１／００１５７６０Ａ１号明細書
【特許文献６】
米国特許第６，１１８，４８０号明細書
【発明が解決しようとする課題】
上述のように、従来技術においては、画像のために用いられる大きいＬＣＤ表示装置はかなり多くのバッテリパワーを消費するため、デジタルカメラはパワー消費の少ないより小さいＬＣＤ表示装置を備えることが可能であるが、そのような表示装置は、一般に、多様なカメラの状態のデータをカメラのユーザに対して表示する。表示されたデータは空間的に固定され、ＬＣＤ表示装置は、主なＬＣＤ表示装置のコンテンツのテキスト支援等においてプログラム化された情報を提供することはできない。
【０００４】
又、大きい画像ＬＣＤ表示装置と小さいステータスＬＣＤとを備えるデジタルカメラにおいては、どちらかのＬＣＤに表示される項目の間でナビゲーションを行うために単一の四分割スイッチを用いることができるが、ステータスＬＣＤは空間的に固定されたアイコンを有し、画像ＬＣＤのコンテンツを支援する他の情報を表示するためにプログラムされてはいない。
【０００５】
【課題を解決するための手段】
本発明に従い、上述した問題点に対する解決策及び要望事項を達成することが可能である。
【０００６】
本発明の特徴に従って、画像及び情報を選択的に表示するための第１表示装置；システム情報を選択的に表示するための第２表示装置；並びに、各々の前記表示装置により表示されたコンテンツが互いに双方向的に支援する１つ又はそれ以上のモードにおいて前記第１表示装置および第２表示装置を制御するための制御装置；から構成されるデジタル情報／画像形成システムであって、前記制御装置は、少なくとも第１スイッチおよび第２ナビゲーションスイッチを含むユーザインタフェースを含み；前記第１スイッチがアクティブにされないとき、前記第２スイッチは前記第１表示装置において表示された項目を選択するために操作可能であり、且つ第２表示装置は前記第１表示装置において選択された項目を支援して情報を表示し；並びに、前記第１スイッチがアクティブにされたとき、前記第２スイッチは前記第２表示装置において表示された項目を選択するために操作可能であり、且つ前記第１表示装置は前記第２表示装置において選択された項目を支援して情報を表示する；ことを特徴とするデジタル情報／画像処理システムを提供する。
【０００７】
本発明は次のような利点を備えている。
１．デジタル情報／画像形成システムは、各々の他のコンテンツを双方向的にサポート可能である第１表示装置及び第２表示装置を有している。
２．この双方向的表示装置サポートの性質は、サポートしている表示装置が、撮影中のヘルプ、手順指令及び撮影中のツールチップを表示することが可能であるようなものである
【発明の実施の形態】
以下、本発明はデジタルカメラに組み込まれることに関して詳細に説明するが、本発明は、携帯電話、携帯情報端末、携帯コンピュータ等のような他の携帯用又はポータブルデジタル情報／画像形成システムに適用可能であることは理解されるであろう。
【０００８】
図１は、本発明の実施形態に従った装置を組み込み且つ方法を実施するデジタルカメラの例を示すブロック図である。デジタルカメラ３０は、取り外し可能なメモリカード７４に記憶されるデジタル画像を生成する。デジタルカメラ３０は、レンズ、アパチャモータドライブ３４により駆動される調節可能なアパチャ３３及びシャッタモータドライブ３５により駆動される電気駆動メカニカルシャッタ３６を含む。レンズ３２は、周知のＢａｙｅｒカラーフィルタパターンに適応する、例えば、シングルチップカラーＣＣＤイメージセンサ等のイメージセンサ４０におけるシーン（図示せず）からの光の焦点を合わせる。イメージセンサ４０はセンサドライバ４２により制御される。アパチャモータ３４とシャッタモータ３５及びセンサドライバ４２は、制御インタフェースプロセッサ６２及びフォトシステムインタフェース３７により制御される。
【０００９】
制御インタフェースプロセッサ６２はフォトシステムインタフェース３７からの入力を受け取る。イメージセンサ４０からのアナログ出力信号は増幅され、アナログ信号処理（ＡＳＰ：Ａｎａｌｏｇ　Ｓｉｇｎａｌ　Ｐｒｏｃｅｓｓｉｎｇ）５０及びアナログデジタル（Ａ／Ｄ）コンバータ回路５２により変換される。ＡＳＰ５０及びＡ／Ｄ５２は、カメラの効果的なＩＳＯ速度設定を調節するために用いることが可能であるプログラム可能な電気的利得を含む。このことについては、１９９７年３月１１日に発行された、発明者Ｐａｒｕｌｓｋｉ等であって同一出願人による米国特許第５，６１０，６５４号明細書のように実施される。デジタルデータはＤＲＡＭ場バッファメモリに記憶され、次いで、フラッシュＥＰＲＯＭメモリとすることが可能であるファームウェアメモリ７０に記憶されたファームウェアにより制御されるデジタル画像プロセッサ６６により処理される。或いは、デジタル画像プロセッサ６６は、カスタム回路（例えば、デジタルカメラのみに用いる１つ又はそれ以上のカスタム集積回路（ＩＣ）による）、又はプログラマブルプロセッサ及びカスタム回路の組み合わせにより供給される。
【００１０】
処理されたデジタル画像ファイルは、取り外し可能なメモリカード７４にデジタル画像ファイルを記憶するメモリカードインタフェース７２に供給される。取り外し可能なメモリカード７４は当業者には周知のものである。例えば、取り外し可能なメモリカード７４は、米国カリフォルニア州サニーベールにあるパーソナル・コンピュータ・メモリ・カード国際協会（ＰＣＭＣＩＡ：Ｐｅｒｓｏｎａｌ　Ｃｏｍｐｕｔｅｒ　Ｍｅｍｏｒｙ　Ｃａｒｄ　Ｉｎｔｅｒｎａｔｉｏｎａｌ　Ａｓｓｏｃｉａｔｉｏｎ）が１９９１年９月に発行したＰＣカード標準について記載した“ＰＣＭＣＩＡカード国際標準第２．０版”、又は米国カリフォルニア州パロアルトにあるフラッシュメモリ協会により発行された“コンパクトフラッシュ（登録商標）仕様１．３版”に適合するメモリカードを含むことが可能である。Ｓｍａｒｔ　Ｍｅｍｏｒｙカード、Ｓｅｃｕｒｅ　Ｄｉｇｉｔａｌ（ＳＤ）カード及びメモリースティックカード、又は時期ハードディスク、磁気テープ又は光ディスク等の他のデジタル記憶装置をその代わりに用いてデジタル画像を記憶することが可能である。
【００１１】
実施形態によっては、レンダリングされたｓＲＧＢ画像データを生成するために、デジタル画像プロセッサ６６は色補正及びトーン補正の後に色補間を行う。次いで、レンダリングされたｓＲＧＢ画像データはＪＰＥＧにより圧縮され、ＪＰＥＧ画像ファイルとして取り外し可能なメモリカード７４に記憶される。他の実施形態においては、取り外し可能なメモリカード７４においてプロセッサにより直接圧縮されたデータ及び画像は、ホストＰＣ８０を用いて圧縮されたＢａｙｅｒカラー画像データを処理することにより後に終了される。
【００１２】
プロセッサ６６は又、ＲＡＭメモリ６８に記憶され且つユーザが検討するために捕捉された画像を表示するカラー画像ＬＣＤ７８に供給される“サムネイル”サイズの画像を生成する。デジタルスタータスドットマトリクスＬＣＤ８２を又備える。ＬＣＤ７８とＬＣＤ８２の間の双方向の表示支援については、後に、更に詳細に説明する。カラー画像表示装置の代わりに、デジタルカメラ３０は有機発光ダイオード（ＯＬＥＤ：Ｏｒｇａｎｉｃ　Ｌｉｇｈｔ　Ｅｍｉｔｔｉｎｇ　Ｄｉｏｄｅ）表示装置、又は多くの多のタイプの画像表示装置を用いることが可能である。サムネイル画像については、１９９２年１１月１７日に発行された、発明者Ｋｕｃｈｔａ等であって同一出願人による米国特許第５，１６４，８３１号明細書に開示されたようにして生成される。カラーＬＣＤ画像表示装置７８及びデジタルステータスＬＣＤ８２に表示されたグラフィカルユーザインタフェースは、ファームウェアメモリ７０に記憶されたファームウェアのユーザインタフェース部分及びデジタルボタン８４乃至１００により制御される。第３の表示装置（図示せず）を、アパチャ、シャッタ速度、露出モード等のようなカメラ本体の設定を示すために、カメラ３０の上端に備えることが可能である。
【００１３】
一連の画像が撮影されて取り外し可能なメモリカード７４に記憶された後、ホストＰＣ８０におけるカードリーダ（図示せず）に取り外し可能なメモリカード７４を挿入することが可能である。それに代えて、デジタルカメラ３０のインタフェース７６とホストＰＣ８０の間にインタフェースケーブル７７を用いることが可能である。インタフェースケーブル７７は、周知であるＩＥＥＥ１３９４インタフェース仕様、ＵＳＢ（Ｕｎｉｖｅｒｓａｌ　Ｓｅｒｉａｌ　Ｂｕｓ）インタフェース仕様又は他の有線或いは無線インタフェース仕様に準拠することが可能である。
【００１４】
又、デジタルカメラ３０を、３５ｍｍ又は中間フォーマットフィルムカメラのためのデジタルバックから構成することが可能である。この場合、レンズ３２、アパチャ３４、シャッタ３６がフィルムカメラ本体の一部として備えられ、イメージセンサ４０、画像プロセッサ６６及びカラー画像表示装置７８を含む他の構成要素が、フィルムカメラ本体に接続される分離したデジタルカメラバックの一部として備えられる。このような接続は、好ましくは、電気的接続（図示せず）を含み、これにより、レンズ３２、アパチャ３３及びシャッタ３６を、制御プロセッサ及びデジタルバックにおけるタイミングジェネレータ６０により制御することが可能である。
【００１５】
ここで図２を参照するに、本発明に組み込まれるデジタルユーザインタフェースの構成要素を備えたカメラ３０の背面パネルについて示している。図２に示すように、デジタルカメラ３０は、画像ＬＣＤ７８、デジタルステータスＬＣＤ８２及びデジタルボタン８４乃至１０２を含む背面パネル２０２を備えたハウジング２００から構成される。背面パネル２０２は又、ファインダ２０４及び他のカメラ制御装置（説明せず）を含む。デジタルボタン８４乃至１０２は、メニューボタン８４、ナビゲーションボタン８６、ホットキーボタン９６、タグ／記録ボタン１００及び上（１２時の位置）部分１０４、右側（３時の位置）部分１０６、下（６時の位置）部分１０８及び左側（９時の位置）部分１１０をもつ４分割スイッチ１０２を含む。
【００１６】
本発明の実施形態に従って、相互の表示装置の支援は、デジタルカメラの画像ＬＣＤ７８とデジタルステータスＬＣＤ８２において描かれる情報の間の相互関係を含む。例えば、第１の表示装置が選択可能なオプションと共にメニュー／アイコンを表示するとき、もう１つの表示装置は第１の表示装置を支援する情報を表示する。支援のための情報は、３つの形式、即ち、
●　強調表示されたメニューオプションを識別し、説明し又は明確にする理解可能な情報
●　一部の画像形成タスク又は他のタスクを達成するための手続き型指令
●　メニューのコンテクスト内のオプションの表示
を含む。
【００１７】
２つの表示装置７８、８２に表示された情報は、文脈依存型であり、且つ柔軟性が高いが相互に独占的な方法で２つの表示装置７８、８２が連携して機能することを可能にする。表示装置の１つが“双方向性”の表示の役割を受け持つとき、もう１つの表示装置は“支援する”表示の役割を受け持つ。双方向性の表示の役割は、表示装置７８、８２に結果として得られる変化が表示されるデジタルカメラのファームウェア７０における一部の値の変化をデジタルカメラのボタン操作がもたらす制御−表示の関係として定義される。支援表示装置の役割は、表示された情報が双方向性の表示装置７８、８２に結びついた制御装置−表示装置の関係の表示結果に依存する情報のみの表示と定義される。
【００１８】
画像ＬＣＤ７８
カラー画像ＬＣＤ７８は、特徴及び機能（例えば、画像レビュー、設定／設定変更）を含むカメラメニューシステムに接続するための表示装置としての機能を果たす。画像ＬＣＤ７８は３種類の情報、即ち
画像及び画像に関連する情報（例えば、ヒストグラム）
●　カメラのデジタルの特徴／機能メニュー、関連するサブメニュー及びメニューオプション
●　テキストに基づくメッセージ及びエラーメッセージ
を表示する。
【００１９】
デジタルステータスＬＣＤ８２
デジタルステータスＬＣＤ８２はプログラム可能なドットマトリクス表示装置である。デジタルステータスＬＣＤ８２は４種類の情報、即ち
●　現在の状態及び種々の捕捉が決定的に影響するデジタル機能（アイコン、英数字）
●　画像ＬＣＤにおいてレビューされた画像の性質に関する情報
●　画像ＬＣＤにおいて表示された情報を支援し且つ解釈するために役立つテキストベースのメッセージ
●　手続き指令
を表示する。
【００２０】
画像捕捉における役割に関して、デジタルステータスＬＣＤ８２は、これらの捕捉関連のデジタル機能（ホワイトバランス等）に効果的にアクセスすることを可能にするエンハンスされた相互作用能力とみなされる。
【００２１】
次に、デジタルボタン８４乃至１０２の動作について説明する。
【００２２】
４分割スイッチ
４分割スイッチ１０２は、カメラ３０の背面パネル２０２に配置された４方向ロッカースイッチから構成される。１２時、３時、６時又は９時の位置１０４、１０６、１０８、１０８の１つを選択して押すとき、そのスイッチはデジタルカメラ３０及び関連するファームウェア７０に適切な信号をもたらす。４分割スイッチ１０２は、画像ＬＣＤ７８の状況に応じたカメラの異なる状態を制御する。
【００２３】
４分割スイッチ：ＬＣＤオン状態
画像ＬＣＤ７８がオンのとき、４分割スイッチ１０２は、デジタルファームウェアにより捕捉され且つ画像ＬＣＤ７８において表示された情報を制御するために用いられる。４分割スイッチ１０２は、次のような方式で動作する。
【００２４】
表示モードが動作中（対象領域（ＲＯＩ：Ｒｅｇｉｏｎ　ｏｆ　Ｉｎｔｅｒｅｓｔ）のボックスがイネーブルであるときを除いて）のときは、次のようになる。即ち、
●　４分割スイッチ１０２の右側１０６／左側１１０を押すことにより、画像の前方／後方へのナビゲーションが得られる。
●　４分割スイッチ１０２の上側１０４／下側１０８を押すことにより、４つの画像モードが順次得られる。
【００２５】
ズームモードが動作中でＲＯＩボックスがイネーブルであるときは、次のようになる。即ち、
●　４分割スイッチ１０２の右側１０６／左側１１０を押すことにより、ＲＯＩボックスの左側１１０／右側１０６への動きが得られる。
●　４分割スイッチ１０２の上側１０４／下側１０８を押すことにより、ＲＯＩボックスの上方／下方への動きが得られる。
【００２６】
何れかの選定されたメニュースクリーン又はテキストベースのメニューがＬＣＤ７８に表示されたときは、次のようになる。即ち、
●　４分割スイッチ１０２の右側１０６／左側１１０を押すことにより、メニューオプション（例えば、選定されたメニュースクリーン）の左側／右側へのナビゲーションが得られる。
●　カスケード式メニューをもつ選定されたスクリーンオプションが強調表示されたとき、４分割スイッチ１０２の右側を押すことにより、強調表示された現在の値がイネーブルになる。
●　イネーブルのカスケード式メニュー又は二重にカスケード式のメニューが表示されたとき、４分割スイッチ１０２の左側を押すことにより、メニューがディセーブルになる。
●　４分割スイッチ１０２の上側１０４／下側１０８を押すことにより、垂直に配置されたメニューオプション（例えば、選定されたメニュースクリーンのオプション、カスケード式メニューオプション）により上方／下方ナビゲーションが得られる。
【００２７】
４分割スイッチ１０２は、不連続的方法又は連続的方法で用いられることが可能である。即ち、４分割スイッチ１０２の一方側を押して離すことにより画像又はメニューオプションを１つずつナビゲーションすることが可能である。又、４分割スイッチ１０２の一方側を押し続けることにより画像又はメニューオプションを連続的にナビゲーションすることが可能である。
【００２８】
４分割スイッチ１０２：デジタルステータスボタン動作状態
デジタルステータスボタン９０を押し続けるとき、４分割スイッチ１０２は捕捉され、４分割スイッチ１０２を現在用いている他のカメラの機能（即ち、オートフォーカス、画像表示）の何れかから制御が移行する。デジタルステータスボタン９０の制御下にあるとき、デジタルステータスＬＣＤ８２に表示された機能間の順序付けるために４分割スイッチ１０２を用いる。
【００２９】
デジタルステータスボタン９０が４分割スイッチ１０２の制御を行うとき、４分割スイッチ１０２は、次の２つの方法により動作する。
●　４分割スイッチ１０２の右側１０６／左側１１０を操作することにより、回り込みを用いて機能のグループ化の間の順序付けがなされる。
●　４分割スイッチ１０２の上方側１０４／下方側１０８を操作することにより、回り込みを用いて機能のグループ化の間の順序付けがなされる。
【００３０】
ＯＫボタン９２
ＯＫボタン９２は、カメラの背面パネル２０２の右側であって、４分割スイッチ１０２の左及びキャンセルボタン９４のすぐ上方に位置するプッシュボタンである。ＯＫボタン９２は次のような多くの機能を提供する。
●　画像ＬＣＤ７８がオフのとき、ＯＫボタンを押すことにより、オンになる。
●　画像ＬＣＤ７８においてメニューオプションが強調表示されたとき、ＯＫボタン９２を押すことにより、そのオプションが実行される。
●　ディセーブルであるＲＯＩボックスを伴うズームモードにおいて、ＯＫボタン９２を押すことにより、デフォルト又は最後に使用した位置においてＲＯＩボックスをイネーブルにする。
●　イネーブルであるＲＯＩボックスを伴うズームモードにおいて、ＯＫボタン９２を押すことにより、ズームが実行される。
●　画像ＬＣＤ７８において確認画面が表示されたとき、ＯＫボタン９２を押すことにより、プロセスが実行される（即ち、削除画像、クリックバランス）。
【００３１】
キャンセルボタン９４
キャンセルボタン９４は、カメラの背面パネル２０２の右側上部であって、４分割スイッチ１０２のすぐ左及びＯＫボタン９２の下方に位置するプッシュボタンである。キャンセルボタン９４は次のような多くの機能を提供する。
●　画像ＬＣＤ７８がオン且つ何れかの表示モードが動作状態のとき、キャンセルボタン９４を押すことにより、画像ＬＣＤがオフになる。
●　画像ＬＣＤ７８がオン且つサブメニューを表示しているとき、キャンセルボタン９４を押すことにより、何ら変化を伴うことなくＵＩ（Ｕｓｅｒ　Ｉｎｔｅｒｆａｃｅ：ユーザインタフェース）階層においてサブメニューから親メニューに出る。
●　イネーブルであるＲＯＩボックスを伴うズームモードにおいて、キャンセルボタン９４を押すことにより、ＲＯＩボックスをディセーブルにする。
●　何れかの確認画面が表示されたとき、キャンセルボタン９４を押すことにより、プロセスが実行される（削除画像、クリックバランス）。
●　画像ＬＣＤ７８においてメニューバーが表示されたとき、キャンセルボタン９４はメニューバーを取り消す（メニューバーは又、メニューボタンを押すことによりトグルされることが可能である）。
【００３２】
メニューボタン８４
メニューボタン８４は、カメラの背面パネル２０２の左側であって、画像ＬＣＤ７８のすぐ左且つナビゲーションボタン８６の上方に位置するプッシュボタンである。メニューボタン８４は次のような多くの機能を提供する。
●　画像ＬＣＤ７８がオン且つ何れかの表示モードが動作状態のとき、メニューボタン８４を押すことにより、最後にアクセスしたオプションが強調表示されると共に最後にアクセスされた選定されたメニューが表示される。
●　選定されたメニュースクリーン及びその関連するテキストベースのメニューが画像ＬＣＤに表示されるとき、メニューボタン８４を押すことにより、メニュー画面は取り消され且つ最後に用いられた画像モードが表示される。
●　画像ＬＣＤ７８がオフのとき、メニューボタン８４を押すことにより、画像ＬＣＤ７８がオンになり且つ最後にアクセスされた選定されたメニュー画面が最後にアクセスされた強調表示されたオプションと共に表示される。
●　サブメニューオプションがＯＫボタン／キャンセルボタン９４を押すことを必要とするとき、メニューボタン８４はメニュー画面を取り消さない。
●　画像ＬＣＤ７８において何れかの選定されたメニュー画面が表示されたとき、メニューボタン８４を押し続け、４分割スイッチ１０２の右側１０６／左側１１０を操作することにより、選定画面をナビゲートする。
【００３３】
ナビゲーションボタン８６
ナビゲーションボタン８６は、フォルダ間の及びフォルダ内の画像間の速く効果的なナビゲーティング方法を可能にする。ナビゲーションボタン８６は、画像ＬＣＤ７８の左側であって、メニューボタン８４の下に位置している。ナビゲーションボタン８６は、次の２つの機能を得るために４分割スイッチ１０２と連動して動作する。
●　カードにおけるフォルダ間でナビゲーションする。
フォルダ間で一度に幾つかの画像をナビゲーションする。
ナビゲーションボタン８６が押されたとき、次の機能が得られる。
●　画像ＬＣＤ７８がオフの場合、画像ＬＣＤ７８はオンになり、ナビゲーションオーバーレイを伴って現在アクティブな画像モードを表示する。
Ｎａｖ＋オーバーレイは次のような情報を含む。
●　各々のフォルダにおける画像の数と共に、メモリカードに存在するフォルダの名前のリスト
●　フォルダにおける画像の総数に関連する現在の画像の位置を示すロケーションバー
●　画像の最大数（最大数＝９９）に関連するフォルダにおける画像数を示すために、ロケーションバーはシェーディングを有する。
●　ロケーションバーはすべてのｎ番目の画像にチェックマークを有する。
●　画像ＬＣＤ７８がオンの場合、現在アクティブな画像モードを表示する。
●　デジタルステータス表示ＬＣＤ８２にレビュー関連の情報を表示する。
【００３４】
ホットキーボタン８８
ホットキーボタン８８は、カメラの背面パネルの左側であって、画像表示の左且つナビゲーションボタン８６の下に位置するプッシュボタンである。ホットキーボタン８８は４分割スイッチ１０２と連動して用いられ、ユーザに特徴的な機能に速くアクセスすることが可能である。ホットキーボタン８８は（ユーザにより定義された）頻繁に変化する機能に対するショートカットとしての機能を果たし、それにより、機能の現在の値は変化されることが可能である。１つ又はそれ以上の機能はホットキーボタンと共に使用するために設定される。
ホットキーボタン８８が押されたとき、次の機能が得られる。
●　画像ＬＣＤ７８がオフの場合、画像ＬＣＤはオンになり、第１のホットキーの位置に関連する機能を表示する。
●　画像ＬＣＤ７８がオンの場合、第１のホットキーの位置に関連する機能を表示する。
●　４分割スイッチ１０２に連動して用いられるとき、ユーザにより選択される機能を表示し、ユーザにより選択される機能には次のようなものがある。
ｏ　ホットキーボタンを押し且つ４分割スイッチの右側１０２を操作することにより、割り当てられたホットキーの位置に関連した選定メニュー画面において昇順の数の順序に順序付けられる。デジタルステータス表示は強調表示されたメニューオプションに関連した情報を表示する。
ｏ　ホットキーボタンを押し且つ４分割スイッチの右側１０２を操作することにより、割り当てられたホットキーの位置において降順の数の順序に順序付けする。デジタルスステータス表示装置は強調表示されたメニューオプションに関連した情報を表示する。
ｏ　各々のホットキーの位置が選択されたとき、強調表示された機能をもつ関連した選定されたメニュー画面がディセーブルアピアランスと共に表示される。ホットキーボタン８８が開放されたとき、選定されたメニュー画面はイネーブルになる。
ｏ　割り当てられたホットキーの位置に関連する機能のみが表示される（即ち、割り当てられなかった位置は表示の目的のために無視される）。
【００３５】
デジタルステータスボタン９０
デジタルステータスボタン９０は、デジタルステータス表示装置８２の左上のコーナーの上方に位置するプッシュボタンである。制御するためのこのボタンの機能は、デジタルステータス表示装置８２に表示された捕捉関連の機能にアクセスする。
●　デジタルステータスボタン９０を押し続けることにより、最後に用いられたデジタルステータス表示装置８２の機能を強調表示し、４分割スイッチ１０２を捕捉し、且つ画像表示装置７８において強調表示された機能のために選定されたメニュー画面を表示する。
ｏ　レビュー関連の情報が表示された場合、デジタルステータスボタン９０を押すことにより、捕捉関連の情報が表示され、強調表示された最後にアクセスされた機能に関連したアイコンを強調表示する。
●　デジタルステータスボタン９０が開放されたとき、メニュー機能はイネーブルになる。
【００３６】
デジタルステータスＬＣＤ８２
デジタルステータスＬＣＤ８２は、３つの異なる種類の情報を表示するプログラム可能な表示装置である。それら３つの異なる情報は、（１）種々の捕捉が決定的に影響するデジタル機能に関連する現在の状態及び設定、（２）画像ＬＣＤ７８において調べられた画像の情報の性質、及び（３）画像ＬＣＤ７８において表示された情報の解釈を支援し且つ助けるためのテキストベースのメッセージ、である。画像捕捉におけるその役割に関して、デジタルステータスＬＣＤ８２は、これら捕捉関連のデジタル機能（ホワイトバランス等）に効果的にアクセスすることを可能にする強化された相互作用能力を前提とする。メニュースクリーンナビゲーションの役割に関して、デジタルステータスＬＣＤ８２は、画像表示装置７８におけるコンテンツのための解釈可能な支援の役割（例えば、“ヘルプメッセージ”、“ツールチップメッセージ（ｔｏｏｌ　ｔｉｐ　ｍｅｓｓａｇｅｓ）”）を担う。
【００３７】
捕捉関連情報：双方向性表示制御要素
デジタルステータスＬＣＤ８２の捕捉機能性は本質的に双方向性であり、次の２つの機能を果たす。
●　捕捉が決定的に影響する機能に関連するアイコンのセットを表示する。これらのアイコンは各々の機能の現在の値を表示する。
●　強調表示された機能の表示値を変更するために関連したメニューへのショートカットとしての機能を果たす。
【００３８】
その双方向性の性質は、表示要素がユーザにより強調表示されたとき、デジタルステータス表示装置における強調表示された機能は、画像表示装置７８における関連した選定されたメニュー画面の機能を呼び出し且つ表示する。ユーザは、このとき、その機能に関連するメニューオプションと、直接対話することが可能である。
【００３９】
図３に示すように、デジタルステータス表示装置８２は、次のような機能のためにアイコンを表示する。それらの機能は、ホワイトバランス３００、ＩＳＯ速度３０２、ＣＦメモリカード３０４及びＭＭ／ＳＤメモリカード３０６、ＪＰＥＧ品質３０８、生解像度３１０及びＪＰＥＧ解像度３１２、並びにクロップアスペクト比３１４等である。
【００４０】
デジタルステータスＬＣＤ８２における強調表示されたデジタルステータス表示機能４００は、画像表示装置７８に表示された対応するメニューオプション４０２を有する（図４）。このとき、画面ＬＣＤ７８におけるメニューオプションには、
●　ＣＦカード（ＣＦ　ＣＡＲＤ）
●　ＳＤカード（ＳＤ　ＣＡＲＤ）
●　フォルダ（ＦＯＬＤＥＲ）
●　ＩＳＯ
●　長い露光（ＬＯＮＧ　ＥＸＰＯＳＵＲＥ）
●　ネーミングスキーム（ＮＡＭＩＮＧ　ＳＣＨＥＭＥ）
●　ホワイトバランス（ＷＨＩＴＥ　ＢＡＲＡＮＣＥ）
がある。
【００４１】
レビュー表示要素（読み取りのみ）
デジタルステータス表示装置のレビュー機能性は本質的に双方向性ではなく、単一目的の機能を果たす。それは、画像の捕捉のときに存在した画像ベースの情報のセットを表示する。
【００４２】
レビュー関連の情報が表示されたときであって、シャッタボタンがＳ１に押されたとき、デジタルステータス表示装置は捕捉関連の情報に戻る。図５において、図５において、現在の画像数５００及び現在のフォルダ名５０２が左側に表示され、ホワイトバランス、クロップアスペクト比、ＩＳＯ及び解像度５０４がデジタルステータス表示装置８２の右側に表示される。
【００４３】
コンテクストによる影響を受け易いテキストメッセージ（読み取りのみ）
デジタルステータス表示装置８２は又、画像ＬＣＤ７８を支援する役割を提供する。この支援の性質は、“ミニヘルプ”及び“ツールチップ”機能である。この双方向性表示支援の背後にあるデザインの目的は、経験の浅いデジタルユーザを支援するために、撮影中の支援システムを提供することである。
【００４４】
以下の例は、本発明の実施形態に従った双方向性表示支援システムについて示したものである。
【００４５】
以下の双方向性のフローにおいて、ユーザの目的は、１４ＭＰ（メガピクセル）から６ＭＰに生画像ファイルの解像度を変化させることである。（次の段階１乃至３において、画像ＬＣＤ７８は、デジタルステータス表示装置８２に対する支援表示の役割を担い、双方向性表示の役割を担っていることに留意されたい。以下の段階４乃至６において、画像ＬＣＤ７８は双方向性の表示の役割を担い、デジタルステータス表示装置８２は支援表示の役割を担っている。）図６は、画像表示装置７８において表示される画面と、ステータス表示装置８２における画像捕捉機能を示している。
【００４６】
段階１
ユーザの動作：ユーザはデジタルステータスボタンを押し続ける。
結果的なカメラの動き（図７）
●　最後にアクセスされたデジタルステータス表示装置８２の機能に関連するアイコンが強調表示される（この例においては、ホワイトバランス７００）。
●　その機能に関連したカメラメニュー画面（強調表示されたオプション７０２）が、ディセーブル（フェーディングされた）アピアランスを用いて、画像ＬＣＤに表示される。このディセーブルアピアランスは、画像ＬＣＤ７８が表示のみであって双方向性でないことを示している。このとき、画面ＬＣＤ７８におけるメニューオプションには、
●　ＩＳＯ
●　ホワイトバランス（ＷＨＩＴＥ　ＢＡＲＡＮＣＥ）
●　フォルダ（ＦＯＬＤＥＲ）
●　ＣＦカード（ＣＦ　ＣＡＲＤ）
●　ＳＤカード（ＳＤ　ＣＡＲＤ）
●　生解像度（ＲＡＷ　ＲＥＳＯＬＵＴＩＯＮ）
●　ＪＰＥＧ解像度（ＪＰＥＧ　ＲＥＳＯＬＵＴＩＯＮ）
●　クロップアスペクト比（ＣＲＯＰ　ＡＳＰＥＣＴ　ＲＡＴＩＯ）
がある（図７乃至図１１）。
【００４７】
段階２
ユーザの動作：デジタルステータスボタン９０を押し続けている間に、ユーザは、カメラの４分割スイッチ１０２の下側１０８を押す。
結果的なカメラの動き（図８）
●　強調表示しているデジタルステータス表示装置８２は、強調表示された機能の下のアイコンに変化する（この例において、ＩＳＯ８０２は強調表示され、ホワイトバランス８００は通常の表示状態に戻る）。
●　画像ＬＣＤ７８のコンテンツは、新たに強調表示されたデジタルステータス表示機能８０４（ＩＳＯ）に関連するカメラメニュー画面を表示するために、更新される。
【００４８】
段階３
ユーザの動作：デジタルステータスボタン９０を押し続けている間に、ユーザは、カメラの４分割スイッチ１０２の左側１１０を押す。
結果的なカメラの動き（図９）
●　強調表示されているデジタルステータス表示装置８２は、デジタルステータス表示装置８２の最も右側にある生解像度アイコン９００に変化する（この例において、回り込む形の動きは、最も左から最も右のアイコンまで強調表示が移動することを示している。生解像度アイコン９００は強調表示され、ＩＳＯアイコン９０２は通常の表示状態に戻る。）画像ＬＣＤ７８のコンテンツは、新たに強調表示されたデジタルステータス表示装置８２の機能９００に関連したカメラメニュー画面（強調表示されたオプション９０４と共に）を表示するために更新される。画像ＬＣＤ７８はディセーブルアピアランスのまま留まる。
【００４９】
段階４
ユーザの動作：ユーザはデジタルステータスボタン９０を開放する。
結果的なカメラの動き（図１０）
●　画像ＬＣＤ７８は、強調表示された選択された機能１０００及び強調表示されたカスケード式のメニュー１００２における現在の値を伴い、双方向性表示の役割（ディセブルアピアランスは取り除かれる）に戻る。
●　デジタルステータス表示装置８２は、強調表示されたオプションを説明するテキストメッセージ１００４を伴い、支援のための表示の役割を担う。
【００５０】
段階５
ユーザの動作：ユーザは４分割スイッチ１０２の下側１０８を押す。
結果的なカメラの動き（図１１）
●　画像ＬＣＤ７８において強調表示しているオプションは、既に強調表示された位置１１０２の下のオプション１１００に変化する。
●　デジタルステータス表示装置８２は、強調表示されたオプション１１００を説明するテキストメッセージ１１０４を表示する。
【００５１】
段階６
ユーザの動作：ユーザはＯＫボタン９２を押す。
結果的なカメラの動き（図１２）
●　画像ＬＣＤ７８は、デジタルステータスボタン９０がアクティブにされる前の状態に戻る（画像が表示される）。
●　デジタルステータス表示装置８２は、新しい値を表示する変化したばかりの機能と共に、捕捉関連の機能を表示する（この場合は、生ファイル解像度１２００は６ＭＰである）。
【００５２】
次の２つの例は、カメラにおける動作を実行するための手続き上の指令／情報を提供するデジタルステータス表示装置８２の支援の役割について示す。
【００５３】
はじめの例においては、表示装置７８及び８２（図１３）は、撮影中のクリックバランス機能（ｃｌｉｃｋ　ｂａｌａｎｃｅ　ｆｕｎｃｔｉｏｎ）に関連した手続き上の情報を示している。
【００５４】
次の例（図１４）においては、時刻／日付を変更するための双方向性の表示支援の概念を示している。この場合、デジタルステータス表示装置８２は、日付と時刻を変更するために４分割スイッチを操作する方法についての指令を表示している。尚、このとき、画面ＬＣＤ７８におけるメニューオプションには、
●　ユーザモード（ＵＳＥＲ　ＭＯＤＥ）
●　バッテリセーブ（ＢＡＴＴＥＲＹ　ＳＡＶＥ）
●　オリエンテーション
●　バーティカルリリース（ＶＥＲＴＩＣＡＬ　ＲＥＬＥＡＳＥ）
●　言語（ＬＡＮＧＵＡＧＥ）
●　ジョブトラッカ（ＪＯＢ　ＴＲＡＣＫＥＲ）
●　ファームウェア（ＦＩＲＭＷＡＲＥ）
●　デフォルトへのリセット（ＲＥＳＥＴ　ＴＯ　ＤＥＦＡＵＬＴＳ）
●　時間／日付（ＴＩＭＥ／ＤＡＴＥ）
がある。
【図面の簡単な説明】
【図１】デジタルカメラを組み込んだ本発明の実施形態の例を示すブロック図である。
【図２】本発明の実施形態に従った第１及び第２表示装置を示す図１のカメラの背面パネルの外観を示す図である。
【図３】本発明の実施形態の説明に有用な図である。
【図４】本発明の実施形態の説明に有用な図である。
【図５】本発明の実施形態の説明に有用な図である。
【図６】本発明の実施形態の説明に有用な図である。
【図７】本発明の実施形態の説明に有用な図である。
【図８】本発明の実施形態の説明に有用な図である。
【図９】本発明の実施形態の説明に有用な図である。
【図１０】本発明の実施形態の説明に有用な図である。
【図１１】本発明の実施形態の説明に有用な図である。
【図１２】本発明の実施形態の説明に有用な図である。
【図１３】本発明の実施形態の説明に有用な図である。
【図１４】本発明の実施形態の説明に有用な図である。
【符号の説明】
３０　　　デジタルカメラ
３２　　　レンズ
３３　　　アパチャ
３４　　　アパチャモータドライブ
３５　　　シャッタモータドライブ
３６　　　メカニカルシャッタ
３７　　　フォトシステムインタフェース
４０　　　イメージセンサ
４２　　　センサドライバ
５０　　　アナログ信号処理
５２　　　アナログデジタルコンバータ回路
６２　　　制御インタフェースプロセッサ
６４　　　ＤＲＡＭ
６６　　　デジタル画像プロセッサ
６８　　　ＲＡＭ
７０　　　ＥＰＲＯＭ“ファームウェア”メモリ
７２　　　メモリカードインタフェース
７４　　　取り外し可能メモリカード
７６　　　インタフェース
７７　　　インタフェースケーブル
７８　　　カラー画像ＬＣＤ
８０　　　ホストコンピュータ
８２　　　デジタルステータスＬＣＤ
８４　　　メニューボタン
８６　　　ナビゲーションボタン
８８　　　ホットキーボタン
９０　　　デジタルステータスボタン
９２　　　ＯＫボタン
９４　　　キャンセルボタン
９６　　　ホットキーボタン
１００　　タグ／記録ボタン
１０２　　４分割スイッチ
１０４　　タグ／記録ボタン上（１２時の位置）部分
１０６　　タグ／記録ボタン右（３時の位置）部分
１０８　　タグ／記録ボタン下（６時の位置）部分
１１０　　タグ／記録ボタン左（９時の位置）部分
２００　　ハウジング
２０２　　背面パネル
２０４　　ファインダ
３００　　ホワイトバランス
３０２　　ＩＳＯ速度
３０４　　ＣＦメモリカード
３０６　　ＭＭ／ＳＤメモリカード
３０８　　ＪＰＥＧ品質
３１０　　生解像度
３１２　　ＪＰＥＧ解像度
３１４　　クロップアスペクト比
４００　　デジタルステータス表示機能
４０２　　メニューオプション
５００　　現在の画像数
５０２　　現在のフォルダ名
５０４　　ホワイトバランス、クロップアスペクト比、ＩＳＯ及び解像度
７００　　ホワイトバランス
７０２　　強調表示されたオプション
８００　　ホワイトバランス
８０２　　ＩＳＯ
８０４　　デジタルステータス表示機能
９００　　生解像度アイコン
９０２　　ＩＳＯアイコン
９０４　　強調表示されたオプション
１０００　強調表示された選択された機能
１００２　カスケード式メニュー
１００４　テキストメッセージ
１１００　オプション
１１０２　強調表示された位置
１１０４　テキストメッセージ
１２００　生ファイル解像度
【図１】
2004140791.tif 000003
【図２】
2004140791.tif 000004
【図３】
2004140791.tif 000005
【図４】
2004140791.tif 000006
【図５】
2004140791.tif 000007
【図６】
2004140791.tif 000008
【図７】
2004140791.tif 000009
【図８】
2004140791.tif 000010
【図９】
2004140791.tif 000011
【図１０】
2004140791.tif 000012
【図１１】
2004140791.tif 000013
【図１２】
2004140791.tif 000014
【図１３】
2004140791.tif 000015
【図１４】
2004140791.tif 000016